(57)【要約】【課題】小数変倍を伴う画像の変倍処理において、元の画像の内容が好適に反映された変倍結果を得ること。【解決手段】入力された画像情報の解像度を小数倍に変換するための変換情報に基づき小数倍の解像度に変換し、小数倍の解像度に変換された画像情報を、指定された動作モードに応じた解像度である駆動解像度に変換し、駆動解像度に変換された画像情報に基づいて光源を駆動し、小数倍の解像度への変換に際して、動作モードに応じて異なる変換情報を用いることを特徴とする。【選択図】図２３
2017024332.tif 000002
【特許請求の範囲】
【請求項１】
光源を制御して感光体を露光することにより前記感光体上に静電潜像を形成する光書き込み制御装置であって、
前記静電潜像として形成すべき画像の情報である画像情報を取得する画像情報取得部と、
前記画像情報の解像度を小数倍に変換するための変換情報に基づき、取得された前記画像情報の解像度を、小数倍の解像度に変換する小数変倍部と、
前記小数倍の解像度に変換された画像情報を、前記光源を制御する際の解像度である駆動解像度に変換する駆動変倍部と、
前記駆動解像度に変換された画像情報に基づいて前記光源を駆動する光源駆動部とを含み、
前記駆動変倍部は、指定された動作モードに応じた解像度を前記駆動解像度として前記画像情報の解像度を変換し、
前記小数変倍部は、前記動作モードに応じて異なる前記変換情報を用いることを特徴とする光書き込み制御装置。
【請求項２】
前記変換情報は、変換後の画像において小数変倍により追加される画素の状態を、変換前の画像における各画素の状態に応じて指定する情報であり、前記追加される画素の状態の指定態様が前記動作モードに応じて異なることを特徴とする請求項１に記載の光書き込み制御装置。
【請求項３】
前記動作モードに応じた前記駆動解像度が、前記小数倍の解像度に変換された画像情報の解像度を更に変倍する解像度である場合、前記追加される画素の状態の指定態様は、前記駆動解像度への変倍に際して前記追加される画素を分割する範囲毎に画素の状態が指定された態様であることを特徴とする請求項２に記載の光書き込み制御装置。
【請求項４】
前記駆動変倍部は、前記小数倍の解像度に変換された画像情報において画素毎に指定されている前記画素の状態を、前記光源を駆動する際の階調に変換することを特徴とする請求項２または３に記載の光書き込み制御装置。
【請求項５】
各画素が多階調で表現された画像を各画素が少階調で表現された画像に変換する階調変換部を含み、
一の画像情報に対して前記小数変倍部と前記階調変換部とのいずれか一方が動作することを特徴とする請求項１乃至４いずれか１項に記載の光書き込み制御装置。
【請求項６】
前記駆動変倍部に入力される画像情報の解像度である中間解像度が予め定められた解像度であり、
前記小数変倍部は、取得された前記画像情報の解像度に対して前記中間解像度が小数倍である場合に動作することを特徴とする請求項５に記載の光書き込み制御装置。
【請求項７】
前記小数変倍部は、取得された前記画像情報の解像度に対して前記中間解像度が小数倍であり、且つ取得された前記画像情報が、前記変換情報が対応する階調の画像情報である場合に動作することを特徴とする請求項６に記載の光書き込み制御装置。
【請求項８】
請求項１乃至７いずれか１項に記載の光書き込み制御装置を含むことを特徴とする画像形成装置。
【請求項９】
光源を制御して感光体を露光することにより前記感光体上に静電潜像を形成する光書き込み制御方法であって、
前記静電潜像として形成すべき画像の情報である画像情報を取得し、
前記画像情報の解像度を小数倍に変換するための変換情報に基づき、取得された前記画像情報の解像度を、小数倍の解像度に変換し、
前記小数倍の解像度に変換された画像情報を、前記光源を制御する際の解像度として指定された動作モードに応じた解像度である駆動解像度に変換し、
前記駆動解像度に変換された画像情報に基づいて前記光源を駆動し、
前記小数倍の解像度への変換に際して、前記動作モードに応じて異なる前記変換情報を用いることを特徴とする光書き込み制御方法。
【発明の詳細な説明】
【技術分野】
【０００１】
光書き込み制御装置、画像形成装置及び光書き込み制御方法に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。
【０００３】
このような画像処理装置のうち、電子化された書類の出力に用いられる画像形成装置においては、電子写真方式の画像形成装置が広く用いられている。電子写真方式の画像形成装置においては、感光体を露光することにより静電潜像を形成し、トナー等の顕色剤を用いてその静電潜像を現像してトナー画像を形成し、そのトナー画像を用紙に転写することによって紙出力を行う。
【０００４】
このような電子写真方式の画像形成装置において、感光体を露光するための光源装置が感光体を露光する際、その元となる画像情報の解像度は光源装置の仕様として定められている。従って、画像形成装置においては、光源装置において定められている解像度とは異なる解像度の画像情報が入力された場合、画像の解像度を変倍する処理が必要となる。
【０００５】
そのような変倍処理において、解像度を整数倍する場合、変倍前の画像の一画素を複数画素に対応させる処理を基準として処理を行えばよく、比較的容易に処理を行うことが可能である。他方、整数倍ではなく、小数倍する場合、解像度の変倍処理が困難となる。
【０００６】
解像度を小数倍する方法として、変倍後の各画素の状態と変倍前の画素の状態とを関連付けたテーブルを所定の変倍率を前提として用意し、そのテーブルに基づいて画素を変換することにより１．５倍の変倍を行う方法が提案されている（例えば、特許文献１参照）。
【発明の概要】
【発明が解決しようとする課題】
【０００７】
特許文献１に開示された方法の場合、変倍後の画像における画素の構成をなるべく変倍前の画素の構成に近づけることが出来る。他方、画像形成装置の構成によっては、光源を点灯駆動する駆動部に小数変倍された画像情報が入力された後、更に変倍されて光源が発光駆動される場合がある。
【０００８】
例えば、４００ｄｐｉ（ｄｏｔｓ  ｐｅｒ  ｉｎｃｈ）の入力画像が１．５倍に変倍されて６００ｄｐｉとされた上で駆動部に入力され、更に２倍に変倍されて１２００ｄｐｉで光源が点灯駆動される場合がある。このような場合、実施の形態１に係る小数変倍を用いると、変倍前の画像における画素の構成によっては、変倍後の画像における画素の構成が、元の画像の画素の構成を十分反映したものとはならない場合がある。
【０００９】
本発明は、上記実情を考慮してなされたものであり、小数変倍を伴う画像の変倍処理において、元の画像の内容が好適に反映された変倍結果を得ることを目的とする。
【課題を解決するための手段】
【００１０】
上記課題を解決するために、本発明の一態様は、光源を制御して感光体を露光することにより前記感光体上に静電潜像を形成する光書き込み制御装置であって、前記静電潜像として形成すべき画像の情報である画像情報を取得する画像情報取得部と、前記画像情報の解像度を小数倍に変換するための変換情報に基づき、取得された前記画像情報の解像度を、小数倍の解像度に変換する小数変倍部と、前記小数倍の解像度に変換された画像情報を、前記光源を制御する際の解像度である駆動解像度に変換する駆動変倍部と、前記駆動解像度に変換された画像情報に基づいて前記光源を駆動する光源駆動部とを含み、前記駆動変倍部は、指定された動作モードに応じた解像度を前記駆動解像度として前記画像情報の解像度を変換し、前記小数変倍部は、前記動作モードに応じて異なる前記変換情報を用いることを特徴とする。
【発明の効果】
【００１１】
本発明によれば、小数変倍を伴う画像の変倍処理において、元の画像の内容が好適に反映された変倍結果を得ることが可能となる。
【図面の簡単な説明】
【００１２】
【図１】本発明の実施形態に係る画像形成装置のハードウェア構成を示すブロック図である。
【図２】本発明の実施形態に係る画像形成装置の機能構成を示す図である。
【図３】本発明の実施形態に係るプリントエンジンの構成を示す図である。
【図４】本発明の実施形態に係る光書き込み装置の構成を示す図である。
【図５】本発明の実施形態に係る光書き込み制御部の機能構成を示す図である。
【図６】本発明の実施形態に係る画像処理部の機能構成を示す図である。
【図７】本発明の実施形態に係る１．５倍密処理の態様を示す図である。
【図８】本発明の実施形態に係る１．５倍密処理の場合の変換テーブルの一例を示す図である。
【図９】本発明の実施形態に係るデコード情報の一例を示す図である。
【図１０】本発明の実施形態に係る１．５倍密処理の場合の変換テーブルの一例を示す図である。
【図１１】本発明の実施形態に係るデコード情報の一例を示す図である。
【図１２】本発明の実施形態に係る１．５倍密処理のうち、更なる解像度変換が行われない場合の例を示す図である。
【図１３】本発明の実施形態に係る１．５倍密処理のうち、更なる解像度変換が行われない場合の例を示す図である。
【図１４】本発明の実施形態に係る１．５倍密処理のうち、更なる解像度変換が行われない場合の例を示す図である。
【図１５】本発明の実施形態に係る１．５倍密処理のうち、更なる解像度変換が行われない場合の例を示す図である。
【図１６】本発明の実施形態に係る１．５倍密処理のうち、更なる解像度変換が行われない場合の例を示す図である。
【図１７】本発明の実施形態に係る１．５倍密処理のうち、更なる解像度変換が行われる場合の例を示す図である。
【図１８】本発明の実施形態に係る１．５倍密処理のうち、更なる解像度変換が行われる場合の例を示す図である。
【図１９】本発明の実施形態に係る１．５倍密処理のうち、更なる解像度変換が行われる場合の例を示す図である。
【図２０】本発明の実施形態に係る１．５倍密処理のうち、更なる解像度変換が行われる場合の例を示す図である。
【図２１】本発明の実施形態に係る１．５倍密処理のうち、更なる解像度変換が行われる場合の例を示す図である。
【図２２】本発明の実施形態に係るデコード情報の一例を示す図である。
【図２３】本発明の実施形態に係るＬＥＤＡ書き込み制御回路の制御動作を示すフローチャートである。
【発明を実施するための形態】
【００１３】
以下、図面を参照して、本発明の実施形態を詳細に説明する。本実施形態においては、複合機（ＭＦＰ：Ｍｕｌｔｉ  Ｆｕｎｃｔｉｏｎ  Ｐｅｒｉｐｈｅｒａｌ）としての画像形成装置を例として説明する。本実施形態に係る画像形成装置は、電子写真方式による画像形成装置であり、電子写真のエンジンに入力された画像の解像度とエンジンが最終的に画像を出力する際の解像度とが異なる場合の変倍処理に特徴を有する。
【００１４】
図１は、本実施形態に係る画像形成装置１のハードウェア構成を示すブロック図である。図１に示すように、本実施形態に係る画像形成装置１は、一般的なサーバやＰＣ（Ｐｅｒｓｏｎａｌ  Ｃｏｍｐｕｔｅｒ）等の情報処理端末と同様の構成に加えて、画像形成を実行するエンジンを有する。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）１１、ＲＯＭ（Ｒｅａｄ  Ｏｎｌｙ  Ｍｅｍｏｒｙ）１２、エンジン１３、ＨＤＤ（Ｈａｒｄ  Ｄｉｓｋ  Ｄｒｉｖｅ）１４及びＩ／Ｆ１５がバス１８を介して接続されている。また、Ｉ／Ｆ１５にはＬＣＤ（Ｌｉｑｕｉｄ  Ｃｒｙｓｔａｌ  Ｄｉｓｐｌａｙ）１６及び操作部１７が接続されている。
【００１５】
ＣＰＵ１０は演算手段であり、画像形成装置１全体の動作を制御する。ＲＡＭ１１は、情報の高速な読み書きが可能な揮発性の記憶媒体であり、ＣＰＵ１０が情報を処理する際の作業領域として用いられる。ＲＯＭ１２は、読み出し専用の不揮発性記憶媒体であり、ファームウェア等のプログラムが格納されている。エンジン１３は、画像形成装置１において実際に画像形成を実行する機構である。
【００１６】
ＨＤＤ１４は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納されている。尚、ＨＤＤに替えてＳＳＤ（Ｓｏｌｉｄ  Ｓｔａｔｅ  Ｄｒｉｖｅ）が用いられても良い。Ｉ／Ｆ１５は、バス１８と各種のハードウェアやネットワーク等を接続し制御する。ＬＣＤ１６は、ユーザが画像形成装置１の状態を確認するための視覚的ユーザインタフェースである。操作部１７は、画面上に構成されるタッチパネルや、各種のハードキー等、ユーザが画像形成装置１に情報を入力するためのユーザインタフェースである。
【００１７】
このようなハードウェア構成において、ＲＯＭ１２に格納されたプログラムや、ＨＤＤ１４若しくは図示しない光学ディスク等の記録媒体からＲＡＭ１１に読み出されたプログラムに従ってＣＰＵ１０が演算を行うことにより、ソフトウェア制御部が構成される。このようにして構成されたソフトウェア制御部と、ハードウェアとの組み合わせによって、本実施形態に係る画像形成装置１の機能を実現する機能ブロックが構成される。
【００１８】
次に、図２を参照して、本実施形態に係る画像形成装置１の機能構成について説明する。図２は、本実施形態に係る画像形成装置１の機能構成を示すブロック図である。図２に示すように、本実施形態に係る画像形成装置１は、コントローラ２０、ＡＤＦ（Ａｕｔｏ  Ｄｏｃｕｍｅｎｎｔ  Ｆｅｅｄｅｒ：原稿自動搬送装置）２１、スキャナユニット２２、排紙トレイ２３、ディスプレイパネル２４、給紙テーブル２５、プリントエンジン２６、排紙トレイ２７及びネットワークＩ／Ｆ２８を有する。
【００１９】
また、コントローラ２０は、主制御部３０、エンジン制御部３１、入出力制御部３２、画像処理部３３及び操作表示制御部３４を有する。図２に示すように、本実施形態に係る画像形成装置１は、スキャナユニット２２、プリントエンジン２６を有する複合機として構成されている。尚、図２においては、電気的接続を実線の矢印で示しており、用紙の流れを破線の矢印で示している。
【００２０】
ディスプレイパネル２４は、画像形成装置１の状態を視覚的に表示する出力インタフェースであると共に、タッチパネルとしてユーザが画像形成装置１を直接操作し若しくは画像形成装置１に対して情報を入力する際の入力インタフェース（操作部）でもある。従って、ディスプレイパネル２４は、図１のＬＣＤ１６及び操作部１７によって構成される。ネットワークＩ／Ｆ２８は、画像形成装置１がネットワークを介して他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。
【００２１】
コントローラ２０は、ソフトウェアとハードウェアとの組み合わせによって構成される。具体的には、上述したようにＣＰＵ１０の演算によって構成されるソフトウェア制御部と集積回路などのハードウェアとによってコントローラ２０が構成される。コントローラ２０は、画像形成装置１全体を制御する制御部として機能する。
【００２２】
主制御部３０は、コントローラ２０に含まれる各部を制御する役割を担い、コントローラ２０の各部に命令を与える。エンジン制御部３１は、プリントエンジン２６やスキャナユニット２２等を制御若しくは駆動する駆動手段としての役割を担う。入出力制御部３２は、ネットワークＩ／Ｆ２８を介して入力される信号や命令を主制御部３０に入力する。また、主制御部３０は、入出力制御部３２を制御し、ネットワークＩ／Ｆ２８を介して他の機器にアクセスする。
【００２３】
画像処理部３３は、主制御部３０の制御に従い、入力された印刷ジョブに含まれる印刷情報に基づいて描画情報を生成する。この描画情報とは、画像形成部であるプリントエンジン２６が画像形成動作において形成すべき画像を描画するための情報である。また、印刷ジョブに含まれる印刷情報とは、ＰＣ等の情報処理装置にインストールされたプリンタドライバによって画像形成装置１が認識可能な形式に変換された画像情報である。操作表示制御部３４は、ディスプレイパネル２４に情報表示を行い若しくはディスプレイパネル２４を介して入力された情報を主制御部３０に通知する。
【００２４】
画像形成装置１がプリンタとして動作する場合は、まず、入出力制御部３２がネットワークＩ／Ｆ２８を介して印刷ジョブを受信する。入出力制御部３２は、受信した印刷ジョブを主制御部３０に転送する。主制御部３０は、印刷ジョブを受信すると、画像処理部３３を制御して、印刷ジョブに含まれる印刷情報に基づいて描画情報を生成させる。
【００２５】
画像処理部３３によって描画情報が生成されると、エンジン制御部３１は、生成された描画情報に基づいてプリントエンジン２６を制御し、給紙テーブル２５から搬送される用紙に対して画像形成を実行する。即ち、プリントエンジン２６が画像形成部として機能する。プリントエンジン２６によって画像形成が施された文書は排紙トレイ２７に排紙される。
【００２６】
画像形成装置１がスキャナとして動作する場合は、ユーザによるディスプレイパネル２４の操作若しくはネットワークＩ／Ｆ２８を介して外部のＰＣ等から入力されるスキャン実行指示に応じて、操作表示制御部３４若しくは入出力制御部３２が主制御部３０にスキャン実行信号を転送する。主制御部３０は、受信したスキャン実行信号に基づき、エンジン制御部３１を制御する。
【００２７】
エンジン制御部３１は、ＡＤＦ２１を駆動し、ＡＤＦ２１にセットされた撮像対象原稿をスキャナユニット２２に搬送する。また、エンジン制御部３１は、スキャナユニット２２を駆動し、ＡＤＦ２１から搬送される原稿を撮像する。また、ＡＤＦ２１に原稿がセットされておらず、スキャナユニット２２に直接原稿がセットされた場合、スキャナユニット２２は、エンジン制御部３１の制御に従い、セットされた原稿を撮像する。即ち、スキャナユニット２２が撮像部として動作する。
【００２８】
撮像動作においては、スキャナユニット２２に含まれるＣＣＤ等の撮像素子が原稿を光学的に走査し、光学情報に基づいて生成された撮像情報が生成される。エンジン制御部３１は、スキャナユニット２２が生成した撮像情報を画像処理部３３に転送する。画像処理部３３は、主制御部３０の制御に従い、エンジン制御部３１から受信した撮像情報に基づき画像情報を生成する。画像処理部３３が生成した画像情報はＨＤＤ１４等の画像形成装置１に装着された記憶媒体に保存される。即ち、スキャナユニット２２、エンジン制御部３１及び画像処理部３３が連動して、原稿読み取り部として機能する。
【００２９】
画像処理部３３によって生成された画像情報は、ユーザの指示に応じてそのままＨＤＤ１４等に格納され若しくは入出力制御部３２及びネットワークＩ／Ｆ２８を介して外部の装置に送信される。即ち、ＡＤＦ２１及びエンジン制御部３１が画像入力部として機能する。
【００３０】
また、画像形成装置１が複写機として動作する場合は、エンジン制御部３１がスキャナユニット２２から受信した撮像情報若しくは画像処理部３３が生成した画像情報に基づき、画像処理部３３が描画情報を生成する。その描画情報に基づいてプリンタ動作の場合と同様に、エンジン制御部３１がプリントエンジン２６を駆動する。
【００３１】
次に、本実施形態に係るプリントエンジン２６の構成について、図３を参照して説明する。図３に示すように、本実施形態に係るプリントエンジン２６は、無端状移動手段である搬送ベルト１０５に沿って各色の画像形成部１０６が並べられた構成を備えるものであり、所謂タンデムタイプといわれるものである。すなわち、給紙トレイ１０１から給紙ローラ１０２により分離給紙される用紙（記録媒体の一例）１０４に転写するための中間転写画像が形成される中間転写ベルトである搬送ベルト１０５に沿って、この搬送ベルト１０５の搬送方向の上流側から順に、複数の画像形成部（電子写真プロセス部）１０６Ｙ、１０６Ｍ、１０６Ｃ、１０６Ｋ（以降、総じて画像形成部１０６とする）が配列されている。
【００３２】
また、給紙トレイ１０１から給紙された用紙１０４は、レジストローラ１０３によって一度止められ、画像形成部１０６における画像形成のタイミングに応じて搬送ベルト１０５からの画像の転写位置に送り出される。
【００３３】
複数の画像形成部１０６Ｙ、１０６Ｍ、１０６Ｃ、１０６Ｋは、形成するトナー画像の色が異なるだけで内部構成は共通である。画像形成部１０６Ｋはブラックの画像を、画像形成部１０６Ｍはマゼンタの画像を、画像形成部１０６Ｃはシアンの画像を、画像形成部１０６Ｙはイエローの画像をそれぞれ形成する。尚、以下の説明においては、画像形成部１０６Ｙについて具体的に説明するが、他の画像形成部１０６Ｍ、１０６Ｃ、１０６Ｋは画像形成部１０６Ｙと同様であるので、その画像形成部１０６Ｍ、１０６Ｃ、１０６Ｋの各構成要素については、画像形成部１０６Ｙの各構成要素に付したＹに替えて、Ｍ、Ｃ、Ｋによって区別した符号を図に表示するにとどめ、説明を省略する。
【００３４】
搬送ベルト１０５は、回転駆動される駆動ローラ１０７と従動ローラ１０８とに架け渡されたエンドレスのベルト、即ち無端状ベルトである。この駆動ローラ１０７は、不図示の駆動モータにより回転駆動させられ、この駆動モータと、駆動ローラ１０７と、従動ローラ１０８とが、無端状移動手段である搬送ベルト１０５を移動させる駆動手段として機能する。
【００３５】
画像形成に際しては、回転駆動される搬送ベルト１０５に対して、最初の画像形成部１０６Ｙがイエローのトナー画像を転写する。画像形成部１０６Ｙは、感光体としての感光体ドラム１０９Ｙ、この感光体ドラム１０９Ｙの周囲に配置された帯電器１１０Ｙ、光書き込み装置１１１、現像器１１２Ｙ、感光体クリーナ（図示せず）、除電器１１３Ｙ等から構成されている。光書き込み装置１１１は、夫々の感光体ドラム１０９Ｙ、１０９Ｍ、１０９Ｃ、１０９Ｋ（以降、総じて「感光体ドラム１０９」という）に対して光を照射するように構成されている。
【００３６】
画像形成に際し、感光体ドラム１０９Ｙの外周面は、暗中にて帯電器１１０Ｙにより一様に帯電された後、光書き込み装置１１１からのイエロー画像に対応した光源からの光により書き込みが行われ、静電潜像が形成される。現像器１１２Ｙは、この静電潜像をイエロートナーにより可視像化し、このことにより感光体ドラム１０９Ｙ上にイエローのトナー画像が形成される。
【００３７】
このトナー画像は、感光体ドラム１０９Ｙと搬送ベルト１０５とが当接若しくは最も接近する位置（転写位置）で、転写器１１５Ｙの働きにより搬送ベルト１０５上に転写される。この転写により、搬送ベルト１０５上にイエローのトナーによる画像が形成される。トナー画像の転写が終了した感光体ドラム１０９Ｙは、外周面に残留した不要なトナーを感光体クリーナにより払拭された後、除電器１１３Ｙにより除電され、次の画像形成のために待機する。
【００３８】
以上のようにして、画像形成部１０６Ｙにより搬送ベルト１０５上に転写されたイエローのトナー画像は、搬送ベルト１０５のローラ駆動により次の画像形成部１０６Ｍに搬送される。画像形成部１０６Ｍでは、画像形成部１０６Ｙでの画像形成プロセスと同様のプロセスにより感光体ドラム１０９Ｍ上にマゼンタのトナー画像が形成され、そのトナー画像が既に形成されたイエローの画像に重畳されて転写される。
【００３９】
搬送ベルト１０５上に転写されたイエロー、マゼンタのトナー画像は、さらに次の画像形成部１０６Ｃ、１０６Ｋに搬送され、同様の動作により、感光体ドラム１０９Ｃ上に形成されたシアンのトナー画像と、感光体ドラム１０９Ｋ上に形成されたブラックのトナー画像とが、既に転写されている画像上に重畳されて転写される。こうして、搬送ベルト１０５上にフルカラーの中間転写画像が形成される。
【００４０】
給紙トレイ１０１に収納された用紙１０４は最も上のものから順に送り出され、その搬送経路が搬送ベルト１０５と接触する位置若しくは最も接近する位置において、搬送ベルト１０５上に形成された中間転写画像がその紙面上に転写される。これにより、用紙１０４の紙面上に画像が形成される。紙面上に画像が形成された用紙１０４は更に搬送され、定着器１１６にて画像を定着された後、画像形成装置の外部に排紙される。
【００４１】
また、用紙に転写されずに搬送ベルト１０５上に残留したトナーを除去するため、ベルトクリーナ１１８が設けられている。ベルトクリーナ１１８は、図３に示すように、駆動ローラ１０７の下流側であって、感光体ドラム１０９よりも上流側において搬送ベルト１０５に押し当てられたクリーニングブレードであり、搬送ベルト１０５の表面に付着したトナーをかきとる顕色剤除去部である。
【００４２】
次に、本実施形態に係る光書き込み装置１１１について説明する。図４は、本実施形態に係る光書き込み装置１１１と感光体ドラム１０９との配置関係を示す図である。図４に示すように、各色の感光体ドラム１０９Ｙ、１０９Ｍ、１０９Ｃ、１０９Ｋ夫々に照射される照射光は、ＬＥＤＡ（Ｌｉｇｈｔ‐ｅｍｉｔｔｉｎｇ  ｄｉｏｄｅ  Ａｒｒａｙ）プリントヘッド１３０Ｙ、１３０Ｍ、１３０Ｃ、１３０Ｋ（以降、総じてＬＥＤＡプリントヘッド１３０とする）から照射される。このＬＥＤＡプリントヘッド１３０が光源装置として用いられる。
【００４３】
次に、本実施形態に係る光書き込み装置１１１の制御ブロックについて、図１５を参照して説明する。図５は、本実施形態に係る光書き込み装置１１１においてＬＥＤＡプリントヘッド１３０を制御する光書き込み制御部２０１の機能構成と、ＬＥＤＡプリントヘッド１３０及びコントローラ２０との接続関係を示す図である。
【００４４】
図５に示すように、本実施形態に係る光書き込み制御部２０１は、光書き込み装置１１１全体の動作を制御するＣＰＵ２０２、主記憶装置としてのＲＡＭ２０３、ラインメモリ２０４、２０５及びＬＥＤ書き込み制御回路２１０を含む。また、ＬＥＤ書き込み制御回路２１０は、周波数変換部２１１、画像処理部２１２、スキュー補正部２１３及びＬＥＤＡ制御部２１４を含む。
【００４５】
このように、本実施形態に係る光書き込み制御部２０１は、図１において説明したハードウェア構成と同様に、記憶媒体に記憶されている制御プログラムがＲＡＭ２０３にロードされ、ＣＰＵ２０２がそのプログラムに従って演算を行うことにより構成されるソフトウェア制御部と、ハードウェアとの組み合わせによって構成される。
【００４６】
ＬＥＤＡ書き込み制御回路２１０は、コントローラ２０から入力される描画情報に基づいてＬＥＤＡプリントヘッド１３０の発光を制御する制御回路であり、集積回路等のハードウェアによって構成され、ＣＰＵ２０２の制御に従って動作する。周波数変換部２１１は、コントローラ２０から入力される描画情報をＬＥＤＡ書き込み制御回路２１０の動作周波数に対応させて出力する。そのため、周波数変換部２１１は、コントローラ２０から入力される描画情報を、周波数変換用に設けられたラインメモリ２０４に一次的に格納し、ＬＥＤＡ書き込み制御回路２１０の動作周波数に従って出力する。即ち、周波数変換部２１１は、印刷対象の画像の情報をコントローラ２０から取得する画像情報取得部としても機能する。
【００４７】
画像処理部２１２は、周波数変換されて出力された画像データに対して、諸々の画像処理を行う。画像処理部２１２が行う画像処理としては、画像サイズの変更やトリミング処理並びに内部パターンの付加等がある。画像処理部２１２の機能のうち、画像の解像度を変更する処理が本実施形態の要旨に係る処理である。画像処理部２１２の詳しい機能については後述する。
【００４８】
スキュー補正部２１３は、ＬＥＤＡプリントヘッド１３０と感光体ドラム１０９との配置による誤差等、様々な要因によって生じる画像のスキューを補正する。スキュー補正に関するパラメータ値は光書き込み制御部２０１に含まれる記憶装置に記憶されており、ＣＰＵ２０２の制御によってスキュー補正部２１３に設定される。スキュー補正部２１３は、画像処理部２１２から入力された画像データをラインメモリ２０５に主走査ライン毎に格納し、設定されたパラメータ値に従ってラインメモリ２０５から画像データを読み出すことによりスキュー補正を実行する。
【００４９】
スキュー補正部２１３は、ラインメモリ２０５に複数の主走査ライン分の画素データが格納された状態において、補正するべき画像の傾きに応じて、主走査ライン上の所定の位置において画素データを読み出すラインをシフトする。例えば、１ライン目から画素データを読み出していた場合において、主走査ライン上の所定の位置（以降、「シフト位置」とする）において、画素データを読み出す主走査ラインを２ライン目に切り替える。このような処理により、画像の傾きを補正することが可能となる。
【００５０】
ＬＥＤＡ制御部２１４は、スキュー補正部２１３から出力される画素情報に基づき、動作周波数に従ってＬＥＤＡプリントヘッド１３０の発光を制御する。即ち、ＬＥＤＡ制御部２１４が光源駆動部として機能する。
【００５１】
次に、本実施形態に係る画像処理部２１２の機能について図６を参照して説明する。図６に示すように、画像処理部２１２に入力された画像データは画像調整部２２１に入力される。画像調整部２２１は、上述した諸々の画像処理を行う部分である。画像調整部２２１によって処理された画像データは小数倍密変換部２２３に入力される。
【００５２】
変倍処理指定部２２２は、ＣＰＵ２０２によるレジスタ設定に基づき、画像処理部２１２によって行われる変倍処理において必要なパラメータ設定を行う。変倍処理指定部２２２によって指定されたパラメータは、小数倍密変換部２２３、面積階調変換部２２５及びデコード部２２６によって参照される。
【００５３】
小数倍密変換部２２３は本実施形態の要旨に係る構成であり、画像の解像度変倍のうち、整数倍ではない変倍処理を行う小数変倍部である。本実施形態においては、４００ｄｐｉの画像を６００ｄｐｉにするような、１．５倍の解像度変換を行う場合を例とする。小数倍密変換部２２３は変換テーブル記憶部２２４に記憶されている変換テーブルに基づき、小数倍の解像度変換を行う。小数倍密変換部２２３の機能については後述する。
【００５４】
小数倍密変換部２２３から出力された画像データは面積階調変換部２２５に入力される。面積階調変換部２２５は、１画素が４ｂｉｔや８ｂｉｔ等の多階調で表現された画像データを各画素１ｂｉｔや２ｂｉｔ等の少値画像に変換する。即ち、面積階調変換部２２５はハーフトーニング処理を行う。また、面積階調変換部２２５は上述した少値画像への変換と共に、指定された倍率で解像度の変換を行う。
【００５５】
小数倍密変換部２２３と面積階調変換部２２５とは、排他的に、即ちいずれか一方のみが動作する。即ち、本実施形態に係る画像処理部２１２においては、多階調から少値への変換を伴う変倍処理は面積階調変換部２２５によって実行され、元から少値の画像を小数変倍する処理は小数倍密変換部２２３によって実行される。この処理の切り替えは、変倍処理指定部２２２によって指定されたパラメータにより実行される。
【００５６】
小数倍密変換部２２３によって小数変倍された画像は、各画素の値が特定のコード値によって指定されている。デコード部２２６は、そのように小数倍密変換部２２３により小数変倍されて生成された各画素のコード値をデコードする。デコード部２２６は、デコード情報記憶部２２７に記憶されているデコード情報に基づいてデコード処理を行う。デコード部２２６がデコードの際に参照するデコード情報は、変倍処理指定部２２２によって指定される。
【００５７】
また、デコード部２２６は、小数倍密変換部２２３や面積階調変換部２２５によって解像度変換されて生成された所定の解像度の画像データを、ＬＥＤＡプリントヘッド１３０を駆動するための最終的な解像度である駆動解像度に変換する。即ち、デコード部２２６は、駆動変倍部としても機能する。また、この駆動解像度に対して、小数倍密変換部２２３によって出力される画像の解像度は、中間解像度である。
【００５８】
図７は、１．５倍の解像度変換の態様を示す図である。１．５倍の解像度変換を行う場合、縦横２画素の４画素分の画像は、縦横３画素の９画素分の画像に変換される。変換テーブル記憶部２２４は、図７に示す変倍後のＡ´、Ｂ´、Ｃ´、Ｄ´及び、変倍に応じて追加される画素であるａ、ｂ、ｃ、ｄ、ｅ夫々の画素の値を変倍前のＡ〜Ｄの画素の値に基づいて求めるための変換テーブル情報を記憶している。
【００５９】
ここで、本実施形態に係る小数倍密変換部２２３は、変倍処理指定部２２２による指定に応じて、異なる複数の変換テーブルのいずれかに基づいて小数変倍を行う。図８は、複数の変換テーブルの１つを示す図である。図８に示すように変換テーブルにおいては、Ａ´、Ｂ´、Ｃ´、Ｄ´、ａ、ｂ、ｃ、ｄ、ｅ夫々の画素の状態を示す変換後のコードが、変換前のＡ〜Ｄの画素の０／１、即ち有色であるか無色であるかに基づいて指定されている。
【００６０】
図９は、図８の場合における変換後のコードが表す意味を示す図であり、このような趣旨の情報がデコード情報としてデコード情報記憶部２２７に記憶されている。本実施形態に係る変換後のコード情報は４ｂｉｔで１６通りを示す情報であり、０ｘ０、即ち“００００”は白、０ｘｆ、即ち“１１１１”は黒を示す。そして、その間のコードは、１つの画素において有色となる部分の範囲を示す“濃度”と、有色となる部分を示す“位相”が指定された情報となる。
【００６１】
例えば、“濃度”が「１／２」であり、“位相”が「右」であれば、図８に示すように画素の右半分が有色であることが指定された状態となる。他方、“濃度”が「１／２」であり、“位相”が「中」であれば、図８に示すように画素の中央が有色であることが指定された状態となる。
【００６２】
図１０は、複数の変換テーブルのうち、図８とは異なる態様の変換テーブルを示す図である。図１０においても、Ａ´、Ｂ´、Ｃ´、Ｄ´、ａ、ｂ、ｃ、ｄ、ｅ夫々について、Ａ〜Ｄの画素の０／１、即ち有色であるか無色であるかに基づいて変換後のコードが指定されていることは同様である。しかしながら、その指定態様が図８に示す変換テーブルとは異なる。
【００６３】
図１１は、図１０の場合における変換後のコードが表す意味を示す図である。このような趣旨の情報がデコード情報としてデコード情報記憶部２２７に記憶されることも同様である。
【００６４】
図９において、“位相”は「右」、「左」、「中」の指定であったが、図１１の場合、“位相”は、「右上」、「左下」等、１つの画素を２×２に区切った状態で有色となる部分が指定される。このような違いは、デコード部２２６が行う最終的な変倍処理に応じて決定される。即ち、変倍処理指定部２２２は、デコード部２２６が行う最終的な変倍処理に基づき、図８、図１０の変換テーブルのいずれかを指定すると共に、図９、図１１のデコード情報のいずれかを指定する。
【００６５】
図１２〜図１６は、図８の変換テーブルに基づいて変倍処理が実行され、図１０のデコード情報に基づいてデコードが行われた場合の例を示す図である。例えば、図１２の場合、左側に示されるように、２×２の４画素のうち、左上の画素のみが有色である。この４画素を図８の変換テーブルに基づいて１．５倍に変倍すると、図１２の中央に示す状態となる。
【００６６】
図１２の中央に示す３×３の９画素分の画像は、厳密には左側に示す画像が単純に１．５倍に変倍された状態とは異なるが、全体的な濃度としては近しい画像となっている。ここで、１．５倍の小数変倍によって得られた画像が６００ｄｐｉである場合において、最終的な出力解像度が１２００ｄｐｉである場合、デコード部２２６は、デコード処理と共に１画素を２×２の４画素に分割する変倍処理を行う。
【００６７】
本実施形態に係るデコード部２２６は、６００ｄｐｉの画像を入力とし、画像形成装置１の動作モードに応じて６００ｄｐｉのまま画像データを出力するか、各画素を２×２の４画素に変換して１２００ｄｐｉで出力するかを切り替える。従って、１２００ｄｐｉで出力する場合、図１２の中央の画像は、図１２の右側の状態となる。図１２の右側においては、デコード部２２６によって２×２の４画素に変換される画素を破線で区切って示している。
【００６８】
図１２の右側の画像においては、最終的な出力解像度が１２００ｄｐｉであるために、小数変倍前の画像に更に近づけられるにも関わらず、図１２中央の画像を構成する各画素を単に分割しただけの状態となっている。そのため、結果として装置の制御が非効率な状態となっている。
【００６９】
図１３〜図１６についても、図１２と同様に、小数変倍前の４画素の画像が図の左側に、小数変倍後の画像が図の中央に、小数変倍後の画像を縦横２画素の４分割した画像が図の右側に夫々示されている。図１２〜図１６を見ると、最終的に生成された画像と小数変倍前の元画像との間に差異がないのは図１４の場合のみであり、その他の場合は元画像と最終的に生成された画像との間に差異が生じている。
【００７０】
これに対して、図１７〜図２１は、図９の変換テーブルに基づいて変倍処理が実行され、図１２のデコード情報に基づいてデコードが行われた場合の例を示す図である。図１７〜図２１に示すように、図９の変換テーブルに基づいて小数変倍処理を行った場合には、元画像と最終的に生成された画像との間に差異が生じていないことが分かる。
【００７１】
このように、本実施形態に係る光書き込み装置１１１の画像処理部２１２は、小数変倍に際し、倍率に応じた特定の変換テーブルを用いるのではなく、ＬＥＤＡ制御部２１４に入力される最終的な画像の解像度に応じて、異なる変換テーブルを参照する。これにより、図１７〜図２１に示すように、ＬＥＤＡ制御部２１４に入力される最終的な画像と、小数変倍前の元画像との差異を解消することが出来る。
【００７２】
換言すると、駆動解像度が１２００ｄｐｉである場合の変換テーブルにおいては、小数倍密変換部２２３によって変倍された画像の解像度を駆動解像度に変換する際に各画素を分割する範囲毎に、有色／無色が指定されている。これにより、上述した効果が得られる。
【００７３】
尚、本実施形態に係るＬＥＤＡプリントヘッド１３０は、各画素に対応する夫々のＬＥＤ素子について、点灯／消灯の二値制御のみが可能である。従って。ＬＥＤＡ制御部２１４は、６００ｄｐｉの場合、１２００ｄｐｉの場合いずれにおいても、各画素が１ｂｉｔで表現された画像データを取得し、ＬＥＤＡプリントヘッド１３０を駆動制御する。
【００７４】
そのため、本実施形態に係るデコード部２２６は、デコード処理により各画素が有色／無色の１ｂｉｔで表現された画像データを生成する。４００ｄｐｉから６００ｄｐｉへの小数変倍を行った上で、更に１２００ｄｐｉに変倍する場合は、図１７〜図２１の右側に示す画像が用いられる。この場合、破線で区切られた各画素が有色／無色のいずれかである。即ち、各画素が夫々１ｂｉｔで表現されており、デコード部２２６が図１１に対応するデコード情報に基づいてデコードを行えば良い。
【００７５】
このように、本実施形態に係る画像処理部２１２においては、小数倍密変換部２２３による小数変倍によって生成される中間画像の解像度が、出力に用いられる最大の解像度ではなく、最大の解像度を整数で割った解像度である。従って、デコード部２２６に入力されるまでの画像データを記憶するための記憶媒体として、最大の解像度に対応した容量を設ける必要がなく、ハードウェア構成を簡略化することが出来る。
【００７６】
他方、４００ｄｐｉから６００ｄｐｉに小数変倍された画像データが６００ｄｐｉのまま出力される場合、図１２〜図１６の中央に示す画像が用いられる。この場合、図の通り、画素の全体が有色／無色のいずれかに確定せず、一画素の中に有色の部分と無色の部分とが含まれる場合がある。
【００７７】
従って、このままでは６００ｄｐｉの画像を構成する各画素が有色／無色の１ｂｉｔによって表現された画像にはならない。そのため、デコード部２２６は、小数倍密変換部２２３によって図８に示す変換テーブルにより変換された各画素の色味を示すコードに基づき、各画素を有色／無色のいずれかに変換する。
【００７８】
図２２は、そのような場合にデコード部２２６が参照するデコード情報の例を示す図である。図２２に示すように、小数変倍によって各画素を示すために設定された“コード”に対して、夫々のコードに対応する“二値”が設定されている。
【００７９】
図２２の例においては、“濃度”が「１／２」以上であれば“二値”は「１」、そうでなければ「０」である場合を例としている。尚、図２２においては、図９との対応を明確に示すために“濃度”、“位相”を示しているが、少なくとも“コード”と“二値”とが関連付けられていれば良い。
【００８０】
これにより、画像処理部２１２は、６００ｄｐｉの場合であっても、１２００ｄｐｉの場合であっても、小数倍密変換部２２３による小数変倍の結果に基づき、各画素が１ｂｉｔで表現された画像を出力することが出来る。
【００８１】
図２３は、本実施形態に係る光書き込み制御部２０１において、ＣＰＵ２０２がＬＥＤＡ書き込み制御回路２１０を制御する際の動作を示すフローチャートである。図２３に示すように、ＣＰＵ２０２は、まず画像処理部２１２に入力される入力画像の解像度を取得する（Ｓ２３０１）。
【００８２】
Ｓ２３０１においてＣＰＵ２０２は、コントローラ２０から入力される情報に基づいて入力画像の解像度を取得する。次に、ＣＰＵ２０２は、小数倍密変換部２２３または面積階調変換部２２５によって変倍され、デコード部２２６に入力される中間画像の解像度を取得する（Ｓ２３０２）。中間画像の解像度は、デコード部２２６の仕様や画像処理部２１２の設計に応じて予め定まっており、ＣＰＵ２０２は、予め定められた値を取得する。
【００８３】
入力画像及び中間画像の解像度を取得したＣＰＵ２０２は、両者に基づいて変倍率を算出する（Ｓ２３０３）。算出した変倍率が１．５倍等の少数であった場合（Ｓ２３０４／ＹＥＳ）、ＣＰＵ２０２は、次に、ＬＥＤＡ制御部２１４がＬＥＤＡプリントヘッド１３０を発光駆動する際の解像度である出力解像度を取得する（Ｓ２３０５）。
【００８４】
Ｓ２３０５において取得される出力解像度は、画像形成装置１の動作モードによって異なる。例えば、通常画質モードの場合には６００ｄｐｉ、高画質モードの場合には１２００ｄｐｉである。従って、ＣＰＵ２０２は、Ｓ２３０５において、画像形成装置１の動作モードに応じて出力解像度を取得する。これは、例えばコントローラ２０から入力される情報である。
【００８５】
出力解像度を取得したＣＰＵ２０２は、Ｓ２３０３において算出した変倍率と、Ｓ２３０５において取得した出力解像度とに基づき、小数倍密変換部２２３が変換テーブル記憶部２２４から読み出して参照する変換テーブルを決定する（Ｓ２３０６）。
【００８６】
変換テーブルを決定すると、ＣＰＵ２０２は画像処理部２１２に対してレジスタ設定を行い（Ｓ２３０７）、処理を終了する。Ｓ２３０７におけるレジスタ設定は、変倍処理指定部２２２が上述した各種のパラメータ設定を行うために必要な情報の指定である。即ち、Ｓ２３０６において決定した変換テーブルの指定、面積階調変換部２２５に対するスルー処理の指定、デコード部２２６に対するデコード情報の指定が含まれる。
【００８７】
尚、図８等に示す通り、小数倍密変換部２２３は、入力画像を構成する各画素が１ｂｉｔの情報である場合を前提としている。これに対して、Ｓ２３０３において算出された倍率が小数であっても、入力画像を構成する各画素が多階調である場合もある。
【００８８】
そのような場合、例えば画像調整部２２１において画像の二値化を行うことが好ましい。これにより、小数倍密変換部２２３が１ｂｉｔの情報に基づいて動作する前提を守ることが出来る。また、このような画像調整部２２１への動作設定も、Ｓ２３０７におけるレジスタ設定により行われる。
【００８９】
他方、Ｓ２３０３において算出された倍率が小数であっても、入力画像が多階調の画像であり、面積階調変換部２２５によるハーフトーニング処理が、その階調及び変倍率に対応していれば、面積階調変換部２２５により処理可能である。従って、ＣＰＵ２０２は、入力画像の階調が図８に示す変換テーブルが対応する１ｂｉｔ等の少階調であり、且つ倍率が小数倍である場合に、小数倍密変換部２２３を動作させるようにレジスタ設定を行っても良い。
【００９０】
他方、Ｓ２３０３において算出した変倍率が整数倍であった場合（Ｓ２３０４／ＮＯ）、ＣＰＵ２０２は、小数倍密変換部２２３に処理をスルーさせ、面積階調変換部２２５に変倍処理を実行させるための制御を行う（Ｓ２３０８）。Ｓ２３０８の処理も、Ｓ２３０７と同様にレジスタ設定であるが、設定の内容が面積階調変換部２２５に変倍処理を実行させることを指定する点が異なる。このような処理により、ＣＰＵ２０２による画像処理部２１２の動作制御が完了する。
【００９１】
以上、説明したように、本実施形態に係る画像形成装置１における光書き込み装置１１１を用いることにより、小数変倍を伴う画像の変倍処理において、元の画像の内容が好適に反映された変倍結果を得ることが可能となる。
【００９２】
尚、上記実施形態においては、主走査方向と副走査方向との解像度が同一である場合を例として説明した。しかしながら、画像形成装置１や光書き込み装置１１１の仕様によっては、主走査方向の解像度と副走査方向の解像度とが異なる場合がある。例えば、主走査方向１２００ｄｐｉ、副走査方向２４００ｄｐｉ等である。
【００９３】
そのような場合も、デコード情報記憶部２２７に記憶されたデコード情報によって対応することが可能である。即ち、デコード部２２６は、ＬＥＤＡ制御部２１４がＬＥＤＡプリントヘッド１３０を発光駆動する際の画像の主走査方向及び副走査方向の解像度に応じたデコード情報を参照してデコードを行う。
【００９４】
尚、上記実施形態においては、ＬＥＤＡプリントヘッド１３０を構成するＬＥＤ素子の駆動態様が、点灯／消灯の２通りしかない場合を例として説明した。他方、ＬＥＤ素子の駆動態様として、例えば消灯、微点灯、通常点灯、強点灯のように、２ｂｉｔの４階調に対応したＬＥＤＡプリントヘッド１３０も存在する。
【００９５】
そのような階調表現が可能なＬＥＤＡプリントヘッド１３０が用いられる場合には、デコード部２２６によるデコードは図２２において説明した二値への変換に限らず、２ｂｉｔへの変換を行う。これにより、画像形成装置１に搭載されたハードウェアが有効に活用された制御が可能となる。
【００９６】
また、上記実施形態においては小数倍密変換部２２３による小数変倍の処理として、１．５倍の処理を例として説明した。しかしながらこれは一例であり、画像調整部２２１に入力される画像の解像度をデコード部２２６に入力する際に定められた解像度に変倍する際の倍率としてあり得る倍率として、様々な小数の倍率を適用可能である。
【００９７】
どのような倍率であっても、図７に示すような変倍前の画素と変倍後の画素との対応関係に基づき、図８、図１０に示すような変換情報である変換テーブルと、図９、図１１及び図２２に示すようなデコード情報を用意することが可能である。そして、そのような態様により、上記と同様の効果を得ることが出来る。
【００９８】
また、上記実施形態においては、感光体ドラム１０９を露光する光源装置として、線状光源であるＬＥＤＡプリントヘッド１３０を用いる場合を例として説明した。この他、感光体ドラム１０９を露光する光源装置としては、ＬＤ（Ｌａｓｅｒ  Ｄｉｏｄｅ）から照射されたレーザー光をポリゴンミラーにより反射させて走査するＬＤ光源が用いられる場合がある。
【００９９】
ＬＤ光源の場合も、ＬＥＤＡプリントヘッド１３０の場合と同様に、最終的な画像の解像度に対応した画素毎に、ＬＤの点灯／消灯が制御される。但し、ＬＤ光源の場合、同一の光源から照射されるレーザー光がポリゴンミラーによって走査されることにより主走査方向に対する露光が行われる。従って、一画素に対応する点灯／消灯の制御に際して、ＰＷＭ（Ｐｕｌｓｅ  Ｗｉｄｔｈ  Ｍｏｄｕｌａｔｉｏｎ）変調により露光期間を変調することにより、主走査方向に対する露光幅を調整することが可能である。
【０１００】
このような主走査方向に対する露光幅の調整を行うことにより、図９に示すような“濃度”及び“位相”を一画素中に反映することが可能である。従って、ＬＤ光源が用いられる場合、デコード部２２６は、図２２に示すような二値化を行うためのデコード情報とは異なるデコード情報によりデコードを行う。
【０１０１】
具体的にデコード部２２６は、各画素のコードの情報を、各画素の点灯／消灯を制御するためにＬＤ光源を駆動するための情報として、図９に示す“濃度”及び“位相”を指定する情報に変換する。そして、ＬＥＤＡ制御部２１４に替わり、ＬＤ光源を制御する制御部が、そのような情報に基づいてＬＤ光源の発光をＰＷＭ変調して制御する。このような態様により、ＬＤ光源が用いられる場合においては、図９に示すような小数変倍の結果をより高精度に反映することが可能である。
【符号の説明】
【０１０２】
１  画像形成装置
１０  ＣＰＵ
１１  ＲＡＭ
１２  ＲＯＭ
１３  エンジン
１４  ＨＤＤ
１５  Ｉ／Ｆ
１６  ＬＣＤ
１７  操作部
１８  バス
２０  コントローラ
２１  ＡＤＦ
２２  スキャナユニット
２３  排紙トレイ
２４  ディスプレイパネル
２５  給紙テーブル
２６  プリントエンジン
２７  排紙トレイ
２８  ネットワークＩ／Ｆ
３０  主制御部
３１  エンジン制御部
３２  入出力制御部
３３  画像処理部
３４  操作表示制御部
１０１  給紙トレイ
１０２  給紙ローラ
１０３  レジストローラ
１０４  用紙
１０５  搬送ベルト
１０６Ｋ、１０６Ｃ、１０６Ｍ、１０６Ｙ  画像形成部
１０７  駆動ローラ
１０８  従動ローラ
１０９Ｋ、１０９Ｃ、１０９Ｍ、１０９Ｙ  感光体ドラム
１１０Ｋ  帯電器
１１１光書き込み装置
１１２Ｋ、１１２Ｃ、１１２Ｍ、１１２Ｙ  現像器
１１３Ｋ、１１３Ｃ、１１３Ｍ、１１３Ｙ  除電器
１１５Ｋ、１１５Ｃ、１１５Ｍ、１１５Ｙ  転写器
１１６  定着器
１１８  ベルトクリーナ
１３０Ｙ、１３０Ｍ、１３０Ｃ、１３０Ｋ  ＬＥＤＡプリントヘッド
２０１  光書き込み制御部
２０２  ＣＰＵ
２０３  ＲＡＭ
２０４、２０５  ラインメモリ
２１０  ＬＥＤＡ書き込み制御回路
２１１  周波数変換部
２１２  画像処理部
２１３  スキュー補正部
２１４  ＬＥＤＡ制御部
２２１  画像調整部
２２２  変倍処理指定部
２２３  小数倍密変換部
２２４  変換テーブル記憶部
２２５  面積階調変換部
２２６  デコード部
２２７  デコード情報記憶部
【先行技術文献】
【特許文献】
【０１０３】
【特許文献１】特開２００６−８６７４９号公報
【図１】
2017024332.tif 000003
【図２】
2017024332.tif 000004
【図３】
2017024332.tif 000005
【図４】
2017024332.tif 000006
【図５】
2017024332.tif 000007
【図６】
2017024332.tif 000008
【図７】
2017024332.tif 000009
【図８】
2017024332.tif 000010
【図９】
2017024332.tif 000011
【図１０】
2017024332.tif 000012
【図１１】
2017024332.tif 000013
【図１２】
2017024332.tif 000014
【図１３】
2017024332.tif 000015
【図１４】
2017024332.tif 000016
【図１５】
2017024332.tif 000017
【図１６】
2017024332.tif 000018
【図１７】
2017024332.tif 000019
【図１８】
2017024332.tif 000020
【図１９】
2017024332.tif 000021
【図２０】
2017024332.tif 000022
【図２１】
2017024332.tif 000023
【図２２】
2017024332.tif 000024
【図２３】
2017024332.tif 000025